(57)【要約】【課題】裂けにくい花鉢用カバーを提供すること。【解決手段】２枚を重ねた帯状フィルム１１，１２を幅方向に角度をつけて熱溶断し、当該溶断時の形状が台形となるように形成され、台形の下底２４が上底２３より短いものとした場合、下底２４側には、その中央部分２４３と溶着された両側の脚部２１，２２との間に切欠き部３１が形成されたものである花鉢用カバー７。【選択図】図５
2019108154.tif 000002
【特許請求の範囲】
【請求項１】
２枚を重ねた帯状フィルムを幅方向に角度をつけて熱溶断し、当該溶断時の形状が台形となるように形成された花鉢用カバーであり、
前記台形の下底が上底より短いものとした場合、前記下底側には、その中央部分と溶着された両側の脚部との間に切欠き部が形成された花鉢用カバー。
【請求項２】
前記切欠き部は、前記上底側に向けた頂部が円弧状に形成されたものである請求項１に記載の花鉢用カバー。
【請求項３】
前記切欠き部は、前記脚部の近傍に形成された請求項１または請求項２に記載の花鉢用カバー。
【請求項４】
前記切欠き部は、前記脚部を斜めに切り込むように形成された請求項１乃至請求項３のいずれかに記載の花鉢用カバー。
【請求項５】
前記切欠き部は、前記上底側に向けた複数の切り込み部分が連続し、上底側への切り込み深さが、下底の中央部分から前記脚部に向けて順に深くなるように形成された請求項１乃至請求項４に記載の花鉢用カバー。
【請求項６】
前記切欠き部が、前記上底側に向けた複数の切り込み部分が連続して下底全体に形成された請求項１乃至請求項５に記載の鉢花用カバー。
【発明の詳細な説明】
【技術分野】
【０００１】
本発明は、花鉢を囲んで包装するものであり、重ねた２枚のフィルムを台形に熱溶断して製作した花鉢用カバーに関する。
【背景技術】
【０００２】
鉢植えの花木の出荷などには花鉢用カバーが使用され、鉢および花木の周囲が花鉢用カバーによって覆われた包装によって花木が保護される。そうした花鉢用カバーは、鉢の形に応じて形成され、逆円錐台形状の鉢には、その鉢形状に合わせた逆円錐台形状になる花鉢用カバーが形成される。そうした花鉢用カバーには、例えば重ねた２枚のフィルムを熱溶断して製作されたものがあり、製作時には平面形状であって、花鉢を包装する際には広げられて立体的な逆円錐台形状になる。下記特許文献１には、そうした花鉢用カバーの製作方法が開示されている。
【０００３】
この花鉢用カバーの製作方法では、第１フィルムと第２フィルムがそれぞれ巻かれたフィルムロールが用意される。そして、その２つのフィルムロールが上下に配置され、各々回転可能に支持される。２つのフィルムロールからは、第１フィルムや第２フィルムがそれぞれテンションをかけた状態で送り出される。送り出しの途中で第１フィルムと第２フィルムが上下に重ね合わされ、その重なった状態の第１フィルムおよび第２フィルムが、ヒートカッターによって同時に溶断される。このとき第１フィルムと第２フィルムは、その形が等脚台形になるようにカットされ、両サイドの脚部分が溶着され上底と下底とが開くようにした花鉢用カバーが製作される。
【先行技術文献】
【特許文献】
【０００４】
【特許文献１】特開平７−１９５５８６号公報
【発明の概要】
【発明が解決しようとする課題】
【０００５】
熱溶断によって作成された花鉢用カバーは、立体的に広げられた状態で花鉢が挿入される。その際、花鉢用カバーは挿入方向に径が小さくなる逆円錐台形状であるため、入れられた花鉢が最も狭い下端部分に引っ掛かるようにして収められ、花鉢の重さや挿入時の勢いが花鉢用カバーの下端部分に加わることとなる。そして、そのときの力が大きい場合には花鉢用カバーの溶着ラインの下端が裂けてしまうことがあった。数多くの花鉢を花鉢用カバーで包装するには、作業効率を上げるため、例えば平面状態のままの花鉢用カバーが上底側に２本の支持棒が貫通して吊され、その吊った状態で上底側が広げられて中に花鉢が入れられる。そのとき作業者は花鉢を途中で放してしまうため、勢いがついた花鉢を花鉢用カバーが受けることになって溶着ラインの裂けが生じ得る。そして、溶着ラインが裂けた場合、裂ける範囲が大きければ挿入した花鉢を落下させてしまう。
【０００６】
そこで、本発明は、かかる課題を解決すべく、裂けにくい花鉢用カバーを提供することを目的とする。
【課題を解決するための手段】
【０００７】
本発明に係る花鉢用カバーは、２枚を重ねた帯状フィルムを幅方向に角度をつけて熱溶断し、当該溶断時の形状が台形となるように形成され、前記台形の下底が上底より短いものとした場合、前記下底側には、その中央部分と溶着された両側の脚部との間に切欠き部が形成されたものである。
また、他の発明の花鉢用カバーは、前記切欠き部が前記上底側に向けた頂部が円弧状に形成されたものである。
また、他の発明の花鉢用カバーは、前記切欠き部が前記脚部の近傍に形成されたものである。
【０００８】
また、他の発明の花鉢用カバーは、前記切欠き部が前記脚部を斜めに切り込むように形成されたものである。
また、他の発明の花鉢用カバーは、前記切欠き部が、前記上底側に向けた複数の切り込み部分が連続し、上底側への切り込み深さが、下底の中央部分から前記脚部に向けて順に深くなるように形成されたものである。
また、他の発明の花鉢用カバーは、前記切欠き部が前記上底側に向けた複数の切り込み部分が連続して下底全体に形成されたものである。
【発明の効果】
【０００９】
本発明に係る花鉢用カバーによれば、２枚の帯状フィルムを重ねて台形に熱溶断し、広げることにより逆円錐台形状になって、その中の花鉢を囲むようにして包装することができる。その際、花鉢用カバーが花鉢を受けるようした入れ方であっても、切欠き部が溶着され部分（溶着ライン）の下端へ力が作用しないように、或いは作用し難くして、その溶着ライン端部を裂けにくくする。
また、切欠き部の上底側に向けた頂部を円弧状に形成することにより、その切欠き部が引っ張られたとしてもその部分を裂けにくくする。
また、切欠き部を脚部の近傍すなわち溶着ラインの近くに形成することにより、溶着ライン端部へ力が作用し難くなる。
【００１０】
また、切欠き部を脚部すなわち溶着ラインを斜めに切り込むことにより、鋭角になる溶着ライン端部分が周りの部分から拘束されなくなり、花鉢の荷重が加わらないように逃げることによって溶着ライン端部を裂けにくくする。
また、切欠き部を複数の切り込み部分が連続して脚部すなわち溶着ラインに向けて順に深くすることにより、その切欠き部にかかる応力が減少し、強く引っ張られたとしても裂けにくくする。
また、切欠き部を下底側全体に形成することにより、花鉢によって加わる力の応力集中を起こす箇所が分散して溶着ライン端部を裂けにくくする。
【図面の簡単な説明】
【００１１】
【図１】花鉢用カバーの使用時の状態を簡易的に示した図である。
【図２】花鉢用カバーの製作時の状態を概念的に示した図である。
【図３】平面状態が等脚台形の花鉢用カバーについて、立体的に広げた際の形状を具体的に示した斜視図である。
【図４】鉢を入れた花鉢用カバーの一実施形態を示した斜視図である。
【図５】花鉢用カバーの一実施形態を平面状態で示した図である。
【図６】花鉢用カバーに形成した切欠き部の他の例を示した図である。
【図７】溶着ラインに対して斜めに切り込んだ切欠き部を備える花鉢用カバーの一部を示した図である。
【図８】花鉢用カバーに形成した３パターンの切欠き部を示した図である。
【発明を実施するための形態】
【００１２】
次に、本発明に係る花鉢用カバーの一実施形態について、図面を参照しながら以下に説明する。図１は、花鉢用カバーの使用時の状態を簡易的に示した図である。鉢植えの花木の出荷などでは花鉢用カバーが使用され、図１に示すように、鉢３および花５などの周囲が花鉢用カバー１に囲まれるようにして包装される。本実施形態は主に逆円錐台形状の鉢３に対応したものであり、花鉢用カバー１は、その鉢３の大きさに合わせ、同じ逆円錐台形状になるよう形成される。その花鉢用カバー１は、製作時や搬送および収納時には平面状態であるが、使用時には図示するような立体的形状になる。
【００１３】
一方、使用時の形状は、上下に開口した筒状であって、上側が下側よりも大きく広がった逆円錐台形状である。こうした花鉢用カバー１は、図示するように、鉢３の側面部分と下端開口部分１０１とが同じ径になる位置で止められ、鉢３に沿って上方に広がって花５を囲むようにして包装することとなる。花鉢用カバー１の下端開口部分１０１は、多少引っ張られた状態で鉢３に密着するようにして取り付けられている。
【００１４】
次に、花鉢用カバー１の形状および構造を詳しく説明する。図２は、花鉢用カバー１の製作時の状態を概念的に示した図である。この花鉢用カバー１は、前記従来例とほぼ同じように、幅寸法が同一の長尺な第１フィルム１１と第２フィルム１２とが巻かれた２本のフィルムロールが使用される。第１および第２フィルム１１，１２は、厚みが約０．０２〜０．０３ｍｍほどのポリエチレンやポリプロピレン等の透明な合成樹脂フィルムである。こうしたフィルムは、全体に微細な孔があけられたようなものであってもよい。
【００１５】
各フィルムロールから第１フィルム１１と第２フィルム１２がテンションをかけた状態で送り出され、図２に示すように幅を揃えて上下に重ね合わされる（下に位置する第２フィルム１２は図面には表れていない）。そして、重ね合わされた第１フィルムと第２フィルムとが同時にヒートカッターによって溶断される。
【００１６】
不図示のヒートカッターは、第１および第２フィルム１１，１２の幅方向に角度をつけて配置されている。特に、２枚のヒートカッターは、対称的な角度で、矢印で示す進行方向に所定の間隔で配置されている。ヒートカッターによって同時に熱溶断された第１および第２フィルム１１，１２は、幅方向に切断されると同時にその切断部分が溶着される。進行方向の２箇所で熱溶断されることによって、平面状態では等脚台形形状の花鉢用カバー１が形成される。平面状態の花鉢用カバー１に関しては、溶着された部分（溶着ライン）２１，２２が台形の脚である。そして、本実施形態では、第１および第２フィルム１１，１２の幅方向端部のうち、寸法の長い方を台形の上底２３とし、短い方を台形の下底２４とする。
【００１７】
花鉢用カバー１は、上底２３部分と下底２４部分では第１および第２フィルム１１，１２がはなれているため、図３に示すように立体的に広げることにより、図１と同様に逆円錐台形状になる。しかし、実際は上底２３部分や下底２４部分は全体が同じ高さの円周にはならず、中心線を鉛直方向に合わせて筒状に広げた場合、溶着ライン２１，２２の位置が高くそこから離れるに従って低くなる。図２に示す下底２４の場合では、左右両側の溶着ライン下端２４１が下底中央部分２４３よりも高くなる。つまり、花鉢用カバー１は、図１に示すような正確な逆円錐台にはならない。そして、このような花鉢用カバー１に対して、図１に示すように花５などを植えた鉢３が入れられると、前記従来例でも述べたように、その重さや挿入時の勢いによって溶着ライン下端２４１が裂けてしまうことがある。
【００１８】
花鉢用カバー１が裂ける原因については次のようなことが考えられる。花鉢用カバー１に入れられた鉢３は、図３に示すように鉢３の側面がきれいに重なるわけではなく、鉢３の側面に下底ライン２４５が引っ掛かる。そのため、花鉢用カバー１に対して一点鎖線の矢印で示すように上から花鉢が入れられる場合、その花鉢を作業者が途中で放してしまうと、鉢３などの重さによって大きな荷重が下底ライン２４５に沿って作用する。特に最も低い位置の下底中央部分２４３に大きな荷重が加わるので、その方向に引っ張られるようにして溶着ライン下端２４１に左右両方向の力Ｆ１が作用すると考えられる。
【００１９】
溶着ライン下端２４１が裂けてしまうのは、そうした力Ｆ１が大きいことを一因とし、更にその他の条件が合わさった場合に起こると考えられる。ただ、実際には数千枚に一枚といった割合で花鉢用カバー１が裂けるため、根本的な原因を求めることは困難であるが、本実施形態では最も裂けやすい溶着ライン下端２４１に大きな力が作用しないように、或いは作用し難くなる花鉢用カバーを提案する。ここで、図４は、鉢３を入れた本実施形態の花鉢用カバーを示した斜視図である。この花鉢用カバー７は、図２に示すように、重ねた第１および第２フィルム１１，１２が幅方向に熱切断され、平面状態において等脚台形になるように形成される。従って、図３に示す花鉢用カバー１と同じ製作方法で形成されるものであるため、同じ構成部分については同じ符号を付して説明する。
【００２０】
花鉢用カバー７の製作では、更に下底２４側に図５に示すような切欠き部３１が形成され、使用時には図４に示すように、その切欠き部３１が溶着ライン２１を挟んで配置される（溶着ライン２２側も同じ）。図５は、花鉢用カバー７を平面状態で示した非使用時の図である。花鉢用カバー７は、前述したように平面状態で等脚台形に形成されたものが、その平面状態のまま複数枚が重ねられ、型抜き加工によって下底２４側に切欠き部３１がカットされる。こうした切欠き部３１は、下底中央部分２４３と左右両側の溶着ライン下端２４１との間に少なくとも１箇所に形成されるものであり、切り込み深さにもよるが図示するように溶着ライン下端２４１の近傍であることが好ましい。そして、切欠き部３１から裂けないように、上底２３側に向けた切り込み側の頂部が円弧状に形成されたものであることが好ましい。
【００２１】
花鉢用カバー７に花鉢が図３のように上から挿入される場合、鉢３は、図４に示すように下底ライン２４５に引っ掛かるようにして収められる。そして、最も低い位置の下底中央部分２４３に大きな荷重が加わり、下底ライン２４５にはその方向に引っ張られるようにして力Ｆ２が作用すると考えられる。しかし、本実施形態には下底ライン２４５に切欠き部３１が存在するため、力Ｆ２が直接溶着ライン下端２４１に加わることはない。すなわち、切欠き部３１によって溶着ライン下端２４１への力の伝達が断たれ、力Ｆ３の引っ張り箇所が切欠き部３１の頂部に近いポイント２５に生じることになる。このことは、花鉢の挿入時だけではなく、図１の状態になるように、下底ライン２４５に鉢３を押し込むようにするときも同様である。
【００２２】
よって、本実施形態では、下底ライン２４５に切欠き部３１が形成されたことにより、溶着ライン下端２４１が下底中央部分２４３に作用する大きな荷重によって引っ張られなくなり、或いは引っ張る力が弱くなる。そのため、花鉢が花鉢用カバー７に勢いよく入れられた場合などであっても溶着ライン下端２４１が裂けにくくなる。こうしたことは、図６に示す切欠き部３２，３３でも同様な効果を得ることができる。図６は、切欠き部の他の例を示した図である。図６（Ａ）は、花鉢用カバー７と同形状の切欠き部３３が下底ライン２４５に複数形成されたものである。切欠き部３３が複数存在することにより各々の個所で応力集中が生じるため、花鉢が入れられた時の荷重が分散することによっても溶着ライン下端２４１が裂けにくくなる。
【００２３】
一方、図６（Ｂ）に示す切欠き部３２は、溶着ライン２１，２２に対して斜めに切り込むように形成されている。これにより溶着ライン下端２４１に加わる力をより逃がしやすくなっている。図７は、そうした点に着目して形成した切欠き部３４を備える花鉢用カバーの一部を示した図であり、丸枠内には向きを変えて溶着ライン下端２４１が正面から示されている。この切欠き部３４は上底２３側に向けた切り込みがより深く形成され、左右の切欠き部３４に挟まれた箇所には、溶着ライン下端２４１が鋭角になった三角部２６が形成されている。なお、本実施形態の花鉢用カバー８は、この切欠き部３４以外の構成は図４に示す花鉢用カバー７と同じである。
【００２４】
花鉢用カバー８に花鉢が上から挿入されると、鉢３が下底ライン２４５に引っ掛かるようにして収められる（図４参照）。最も低い位置の下底中央部分２４３に大きな荷重が加わり、下底ライン２４５にはその方向に引っ張られるようにして力Ｆ５が作用し、切欠き部３１を回り込んでポイント２７に力Ｆ６が生じることになる。更に、三角部２６の先端部分は周りの部分から拘束されずに自由度があるため、例えば図示するように三角部２６が鉢３の抵抗で外側に反ってしまうことが可能である。こうして三角部２６の先端部分が花鉢の荷重から逃げることにより、溶着ライン下端２４１が裂けにくくなる。なお、図５に示す切欠き部３１のように溶着ライン下端２４１から離れた切欠き部であっても、その切り込み深さを深くすることで同様の効果が期待できる。
【００２５】
図８は、平面状態の花鉢用カバーに対して形成する切欠き部の一例を３パターン示した図である。図８（Ａ）は、図７に示す花鉢用カバー８の切欠き部３４であり、図８（Ｂ），（Ｃ）はその変形例である。いずれも溶着ライン下端２４１が鋭角になった三角部２６が形成されたものである。図８（Ｂ）は、深く切り込んだ切欠き部３４に向けて下底中央部分２４３側に浅く大きな切欠き部３５が連続して形成された花鉢用カバー８ｂである。また、図８（Ｃ）は、切欠き部３４および切欠き部３５に加えて下底中央部分２４３に切欠き部３６が形成された花鉢用カバー８ｃである。
【００２６】
図８（Ｂ）の花鉢用カバー８ｂは、切欠き部３５が加わることにより、その部分にも応力が増加して切欠き部３４にかかる応力を減少させることができる。また、その花鉢用カバー８ｂは、鉢３の側面が下底中央部分２４３に引っ掛かるようにして荷重が作用するほか、切欠き部３４，３５の間の下底２４側に突き出した舌部２８にも荷重が作用すると考えられる。そのため、この花鉢用カバー８ｂにおいても、三角部２６が花鉢の荷重から逃げることにより溶着ライン下端２４１が裂けにくくなる。
【００２７】
図８（Ｃ）の花鉢用カバー８ｃは、切欠き部３４のほかに切欠き部３５，３６が加わることで、花鉢が挿入された時の荷重を集中的に受ける下底中央部分２４３が無くなり、新たな波形下底ライン２９によって荷重が分散する。これにより切欠き部３４にかかる応力を減少させることができる。そして、この花鉢用カバー８ｃにおいても、三角部２６が花鉢の荷重から逃げることにより溶着ライン下端２４１を裂けにくくする。
【００２８】
以上のように本実施形態の花鉢用カバーによれば、溶着ライン下端２４１が従来に比べて大幅に避けにくくなり、花鉢を途中で放して挿入するような包装作業を、その作業者が安心して行えるようになる。これは花鉢用カバーが裂けるのが数千枚に一枚といった割合であったとしても、裂けた場合の花鉢の損害を考えると作業者は慎重にならざるを得ない。一方で、溶着ライン下端２４１の溶着の不具合に裂ける原因があることも考えられるが、本実施形態の花鉢用カバーによれば、溶着ライン下端２４１を裂こうとする力をポイント２５，２７へ移るようにしている。よって、溶着に不具合があったとしても裂けにくくすることができ、作業者は安心して包装作業を行うことができ、作業効率も向上することとなる。
【００２９】
本発明の一実施形態について説明したが、本発明はこれに限定されることなく、その趣旨を逸脱しない範囲で様々な変更が可能である。
例えば、前記切欠き部の形成は一例であって、その形状や切込み深さ、或は位置や数などは、戦記実施形態に限定されるわけではない。
また、発明の名称である花鉢用カバーは、包装する対象として花が象徴的であることによるものであるため、花鉢用カバーが包装するのは花に限定されるわけではなく、鉢に花以外の植物が植えられたものであってもよい。
【符号の説明】
【００３０】
１，７，８…花鉢用カバー  ３…鉢  ５…花  １１…第１フィルム  １２…第２フィルム  ２１，２２…溶着ライン  ２３…上底  ２４…下底  ２６…三角部  ３１，３２，３３，３４，３５，３６…切欠き部  ２４１…溶着ライン下端  ２４３…下底中央部分  ２４５…下底ライン
【図１】
2019108154.tif 000003
【図２】
2019108154.tif 000004
【図３】
2019108154.tif 000005
【図４】
2019108154.tif 000006
【図５】
2019108154.tif 000007
【図６】
2019108154.tif 000008
【図７】
2019108154.tif 000009
【図８】
2019108154.tif 000010